(57)【要約】【課題】使用者の要求等に応じて重量や重心位置を調節できる電話機用ハンドセットを提供する。【解決手段】本発明による電話機用ハンドセットにおいては、錘部材を着脱することにより重量を可変とし、また錘部材の取り付け位置を選択する、あるいは所望の位置に移動させることにより、重心位置を変更可能としている。それによって、使用者の持ち易さを改善したり、長時間の通話による使用者の疲労を低減させることができる。【選択図】　　　　図１
2004048409.tif 000002
【特許請求の範囲】
【請求項１】
電話機本体と電気的に接続し、使用者が保持して通話を行う電話機用ハンドセットであって、
錘部材を脱着させることにより重量を可変としたことを特徴とする電話機用ハンドセット。
【請求項２】
請求項１記載の電話機用ハンドセットにおいて、
前記錘部材の取り付け数を可変とすることにより重量を可変としたことを特徴とする電話機用ハンドセット。
【請求項３】
請求項１または２記載のハンドセットにおいて、
前記錘部材の取り付け位置を複数設けたことにより重心位置の変更をも可能としたことを特徴とする電話機用ハンドセット。
【請求項４】
請求項１記載の電話機用ハンドセットにおいて、
前記錘部材が流動性を有する材料からなり、
この錘部材を内部に注入／排出することにより重量を可変としたことを特徴とする電話機用ハンドセット。
【請求項５】
請求項４記載の電話機用ハンドセットにおいて、
前記錘部材を注入する箇所を複数設け、これら注入箇所の少なくとも１つに前記錘部材を注入することにより重心位置の変更をも可能としたことを特徴とする電話機用ハンドセット。
【請求項６】
請求項１記載の電話機用ハンドセットにおいて、
前記錘部材の移動手段を具え、この移動手段により前記錘部材を移動させて重心位置の変更を可能としたことを特徴とする電話機用ハンドセット。
【請求項７】
電話機本体と電気的に接続し、使用者が保持して通話を行う電話機用ハンドセットであって、
ハンドセット本体とカバーとを具え、
重量の異なるカバーを前記ハンドセット本体に脱着することにより重量を可変としたことを特徴とする電話機用ハンドセット。
【請求項８】
電話機本体と電気的に接続し、使用者が保持して通話を行う電話機用ハンドセットであって、
ハンドセット本体とカバーとを具え、
前記カバーにおいて、該カバーを構成する部材の肉厚が異なる箇所を局所的に形成し、それによって重心位置の変更を可能としたことを特徴とする電話機用ハンドセット。
【発明の詳細な説明】
【０００１】
【発明の属する技術分野】
本発明は、電話機の使用に際し、使用者が手で保持して通話を行う電話機用のハンドセットに関するものである。
【０００２】
【従来の技術】
電話機用ハンドセットは、使用者が保持して通話を行うほか、電話機と回線とを接続／遮断するために、電話機本体に設けたフックスイッチをＯＮ／ＯＦＦさせる機能をも有している。そのため、ハンドセットにも所要の重量が必要とされ、例えば日本電信電話公社（現日本電信電話株式会社）の研究では、ハンドセットの重量は１８０ｇ前後が望ましいとの結果が出されている。
【０００３】
【発明が解決しようとする課題】
しかしながら、近年の携帯電話や携帯端末に代表されるように、電子情報機器の小型化・軽量化の傾向に伴い、卓上型や壁掛け型の電話機に対しても同様のニーズが高まっている。
【０００４】
また、従来のハンドセットでは、その重量のため長時間の通話で使用者が疲労するという問題があり、この問題を解消するためにも、さらには使用者の年齢層や持ち易さ等も考慮してハンドセットを軽量化したり、重量や重心の位置を適宜設定可能とすることが望ましい。
【０００５】
本発明の目的は、上記の問題点を解決し、重量を使用者の要求に応じて変更することのできる電話機用ハンドセットを提案することにある。
【０００６】
【課題を解決するための手段】
すなわち本発明による電話機用ハンドセットは、
電話機本体と電気的に接続し、使用者が保持して通話を行う電話機用ハンドセットであって、錘部材を脱着させることにより重量を可変としたことを特徴とするものである。
【０００７】
本発明による電話機用ハンドセットは、
前記錘部材の取り付け数を可変とすることにより重量を可変としたことを特徴とするものである。
【０００８】
本発明による電話機用ハンドセットは、
前記錘部材の取り付け位置を複数設けたことにより重心位置の変更をも可能としたことを特徴とするものである。
【０００９】
本発明による電話機用ハンドセットは、
前記錘部材が流動性を有する材料からなり、この錘部材を内部に注入／排出することにより重量を可変としたことを特徴とする　ものである。
【００１０】
本発明による電話機用ハンドセットは、
前記錘部材を注入する箇所を複数設け、これら注入箇所の少なくとも１つに前記錘部材を注入することにより重心位置の変更をも可能としたことを特徴とするものである。
【００１１】
また本発明による電話機用ハンドセットは、
前記錘部材の移動手段を具え、この移動手段により前記錘部材を移動させて重心位置の変更を可能としたことを特徴とするものである。
【００１２】
さらに本発明による電話機用ハンドセットは、
電話機本体と電気的に接続し、使用者が保持して通話を行う電話機用ハンドセットであって、
ハンドセット本体とカバーとを具え、
重量の異なる前記カバーを前記ハンドセット本体に脱着することにより重量を可変としたことを特徴とするものである。
【００１３】
加えて本発明による電話機用ハンドセットは、
電話機本体と電気的に接続し、使用者が保持して通話を行う電話機用ハンドセットであって、
ハンドセット本体とカバーとを具え、
前記カバーにおいて、該カバーを構成する部材の肉厚が異なる箇所を局所的に形成し、それによって重心位置の変更を可能としたことを特徴とするものである。
【００１４】
【発明の効果】
本発明による電話機用ハンドセットは、錘部材を取り付けることにより重量を増加させ、逆に錘部材を取り外すことにより重量を減少させることができるようにしている。それによって、使用者の要求や年齢層等に応じてハンドセットの重量を調節することが可能となり、また長時間の通話による使用者の疲労を低減させることも可能となる。
【００１５】
また本発明による電話機用ハンドセットは、錘部材の取り付け数を可変としたり、複数の取り付け位置を設けたことにより、ハンドセットの重量のみならず、重心の位置をも変更し得るようにしている。それによって、使用者の持ち易さ等を考慮した、しかも長時間の通話による使用者の疲労を低減させることができるようなハンドセットを実現することができる。
【００１６】
本発明による電話機用ハンドセットの好適な実施形態においては、錘部材として流動性を有する材料を用い、これをハンドセット内部に注入することにより重量を増加させ、また排出することにより軽減することとしている。また、注入位置を複数設け、錘部材を注入する箇所を選択することにより重心位置の変更もできるようにしている。そのため、重量および重心位置の調整が、より簡単に行うことが可能となる。
【００１７】
また本発明による電話機用ハンドセットの好適な実施形態においては、錘部材を移動させる手段を設け、これを用いて錘部材を移動させて位置を変更することにより重心位置を変更できるようにしている。そのため、重心位置の変更がより簡単に行うことができるようになる。
【００１８】
さらに本発明による電話機用ハンドセットは、重量の異なる複数のカバーを用意し、これらの中から任意のカバーを選択して取り付け・交換することにより重量の調節を行うこととしている。このようにすることによっても、使用者の要求等に応じた、しかも長時間の通話による使用者の疲労を低減させることができるようなハンドセットを実現することができる。
【００１９】
加えて本発明による電話機用ハンドセットは、カバーを構成する部材の肉厚が異なる箇所を局所的に設けてカバーの重心位置を偏在させ、それによってハンドセット自体の重心位置を変更することとしている。このようにすることによっても、使用者の持ち易さ等を考慮した、しかも長時間の通話による使用者の疲労を低減させることができるようなハンドセットを実現することができる。
【００２０】
【発明の実施の形態】
以下、図面を参照して本発明の好適な実施形態について説明する。
【００２１】
図１は本発明による電話機用ハンドセットの第１の実施形態を示すものである。図示のハンドセット１０は本体１１とカバー１２からなり、本体の表面に窪み１３を形成し、この窪み１３に板状の錘部材１４を収容し、ねじ１５で固定することとしている。窪み１３には複数枚（図では３枚）の錘部材１４が収容できるようにし、この錘部材１４の数を増減させることによりハンドセット１０の重量が調節できるようにしている。
【００２２】
なお、このハンドセット１０においては、使用者が触れたときの違和感を解消したり、ハンドセット自体の美観を保持するために、この窪み１３を覆う蓋を設ける事としても良い。また、錘部材１４としては、小さい寸法で比較的重量を有する材料、例えば鉄、鉛などの金属を用いることが好適である。
【００２３】
図２は本発明による電話機用ハンドセットの第２の実施形態を示すものである。図示のハンドセット２０も本体２１とカバー２２からなり、カバー上面に窪み２３を設け、この窪み２３に板状の錘部材２４（図では２枚）を収容してねじ２５で固定し、さらに使用者が触れたときの違和感を解消したり、ハンドセット自体の美観を保持するために蓋２６で窪み２３を覆うようにしている。このハンドセット２０においても、窪み２３に収容する錘部材２４の数を増減させることによりハンドセット２０の重量を調節することとしている。
【００２４】
図３は本発明による電話機用ハンドセットの第３の実施形態を示すものである。図示のハンドセット３０も本体３１とカバー３２からなり、カバー３２の側面に窪み３３を設け、この窪み３３に板状の錘部材３４（図では２枚）を収容してねじ３５で固定し、さらに使用者が触れたときの違和感を解消したり、ハンドセット自体の美観を保持するために蓋３６で窪み３３を覆うようにしている。このハンドセット３０においても、窪み３３に収容する錘部材３４の数を増減させることによりハンドセット３０の重量を調節することとしている。
【００２５】
図４は本発明による電話機用ハンドセットの第４の実施形態を示すものである。図示のハンドセット４０も本体４１とカバー４２からなり、カバー４２の内部に板状の錘部材４３（図では２枚）を収容してねじ４４で固定することとしている。このハンドセット４０においても、カバー４２の内部に収容する錘部材４３の数を増減させることによりハンドセット４０の重量を調節することとしている。
【００２６】
図５は本発明による電話機用ハンドセットの第５の実施形態を示すものである。図示のハンドセット５０もまた本体５１とカバー５２からなるものであるが、図５（ａ）に示すように、ここではハンドセット５０内に、本体５１に設けた注入口５３から流動性のある錘部材５４をスポイト５５等で注入し、その後蓋５６で注入口５３を閉鎖することにより重量を増加させるようにしている。なお、ハンドセット５０内には図５（ｂ）に示すように錘部材収容部５７を設けており、この中に錘部材５５を収容する。
【００２７】
錘部材５４は、流動性を有するものであれば液状の物質でも良く、あるいは砂、金属粉、ガラス粉のような粒状、粉状の物質でも良い。この場合、比較的重量を有するもの（密度が高いもの）であるほど良い。このハンドセット５０においては、ハンドセット５０内に注入する錘部材５４の量を適宜調節することにより重量を調節するものであるため、前述の各実施形態と比較して、よりきめの細かい重量調節が可能である。
【００２８】
図６は本発明による電話機用ハンドセットの第６の実施形態を示すものである。図示のハンドセット６０では、本体６１に取り付けるカバーとして、重量の異なる複数のカバーを用意し、これらの内から選択したカバーを本体に取り付けることによりハンドセット６０の重量を調節することとしている。
【００２９】
図６（ａ）に示すカバー６２は、部材側部の肉厚ｔ１が比較的薄く、そのため重量が相対的に軽くなっている。一方、図６（ｂ）に示すカバー６３は、部材側部の肉厚ｔ２がカバー６２の肉厚ｔ１と比べて厚く、そのため重量もカバー６２と比べて重くなっている。したがって、これらカバー６２，６３のいずれか一方を選択して本体６１に取り付けることにより、ハンドセット６０の重量を調節することができ、また既に取り付けてあるカバーを、それよりも軽い、あるいは重い他のカバーに取り替えることにより、重量を変更することができる。
【００３０】
図７は本発明による電話機用ハンドセットの第７の実施形態を示すものである。図示のハンドセット７０では、本体７１に取り付けるカバー７２の上面に、長手方向に複数（図では３箇所）の窪み７３ａ〜７３ｃを設け、これら窪みに板状の錘部材７４を（図では２枚ずつ）収容してねじ７５で固定し、その後窪み７３ａ〜７３ｃを、使用者が触れたときの違和感を解消したり、ハンドセット自体の美観を保持するために蓋７６ａ〜７６ｃによって閉鎖するものとしている。
【００３１】
こうした構成は、前述した第１〜第４の実施形態と同様のものであるが、このハンドセット７０では、錘部材７４を収容する箇所（窪み）を複数設け、これら窪みの全て、あるいはこれら窪みの内任意に選択したものに錘部材７４を収容できるようにしている。それによってハンドセット７０の重量を調節するのみならず、重心位置をも変更することが可能となる。その結果、使用者が持ち易く、長時間の使用でも疲労を低減させることができるハンドセットを実現することができる。
【００３２】
図８は本発明による電話機用ハンドセットの第８の実施形態を示すものである。図示のハンドセット８０では、本体８１に取り付けるカバー８２の側面に、長手方向に複数（図では３箇所）の窪み８３ａ〜８３ｃを設け、これら窪みに板状の錘部材８４を（図では２枚ずつ）収容してねじ８５で固定し、その後窪み８３ａ〜８３ｃを、使用者が触れたときの違和感を解消したり、ハンドセット自体の美観を保持するために蓋８６ａ〜８６ｃによって閉鎖するものとしている。
【００３３】
このハンドセット８０においても錘部材８４を収容する窪み８３ａ〜８３ｃの全て、あるいはこれら窪みの内任意に選択したものに錘部材８４を収容するものとしている。それによって、前述した第７の実施形態と同様に、ハンドセット８０の重量を調節するのみならず、重心位置をも変更することを可能としている。
【００３４】
図９は本発明による電話機用ハンドセットの第９の実施形態を示すものである。図示のハンドセット９０では、本体９１に取り付けるカバー９２の内部に板状の錘部材９３を取り付ける箇所を複数（図では３箇所）設け、これら取り付け箇所に錘部材９３を（図では２枚ずつ）ねじ８４で固定するものとしている。
【００３５】
このハンドセット９０においても錘部材９３の取り付け箇所の全て、あるいはこれら取り付け箇所の内任意に選択したものに錘部材９３を収容するものとしている。それによって、前述した第７および第８の実施形態と同様に、ハンドセット９０の重量の調節のみならず、重心位置をも変更することを可能としている。
【００３６】
図１０は本発明による電話機用ハンドセットの第１０の実施形態を示すものである。図示のハンドセット１００は、前述した第５の実施形態と同様に流動性を有する錘部材を用いるものであるが、ここでは図１０（ａ）に示すようにハンドセット１００の本体１０１に複数（図では３箇所）の注入口１０３ａ〜１０３ｃを設け、これら注入口の全て、あるいはこれらの内任意に選択した注入口からのみ錘部材１０４を注入し、その後蓋１０５ａ〜１０５ｃで各注入口を閉鎖するものとしている。なお、ハンドセット１００内には図１０（ｂ）に示すように各注入口に対応した錘部材収容部１０６ａ〜１０６ｃ（ただし、図では収容部１０６ａは省略している）を設けており、この中に錘部材１０４を収容する。
【００３７】
このハンドセット１００もまた、錘部材１０４を注入する箇所や量を選択することにより、ハンドセット１００の重量や重心位置を適宜調節・変更することが可能であるが、前述した第５の実施形態と同様に、板状の錘部材を使用する他の実施形態と比較して、よりきめの細かい重量および重心位置の設定および変更を可能としている。
【００３８】
図１１は本発明による電話機用ハンドセットの第１１の実施形態を示すものである。図示のハンドセット１１０においては、本体１１１に装着するカバー１１２の側面の一部の肉厚ｔ１が残りの部分の肉厚ｔ２よりも厚くなっている。そのため、カバー１１２の重心が肉厚の厚い方へ偏る。そのため、このカバー１１２を本体１１１に装着した場合、肉厚の厚い側へハンドセット１１０自体の重心が偏り、結果としてハンドセット１１０の重心位置が変わることとなる。図示の例ではハンドセット１１０の受話側１１１ａにカバー１１２の肉厚の厚い側が来るように取り付けるようにしているため、送話側１１１ｂよりも受話側１１１ａの方へハンドセット１１０の重心が偏ることとなる。
【００３９】
図１２は本発明による電話機用ハンドセットの第１２の実施形態を示すものである。図示のハンドセット１２０においても、本体１２１に装着するカバー１２２の側面の一部の肉厚ｔ１が残りの部分の肉厚ｔ２よりも厚くなっている。そのため、カバー１２２の重心が肉厚の厚い方へ偏る。そのため、この場合もカバー１２２を本体１２１に装着した場合、肉厚の厚い側へハンドセット１２０自体の重心が偏り、結果としてハンドセット１２０の重心位置が変わることとなる。図示の例ではハンドセット１２０の送話側１２１ｂにカバー１２２の肉厚の厚い側が来るように取り付けるようにしているため、受話側１２１ａよりも送話側１２１ｂの方へハンドセット１２０の重心が偏ることとなる。
【００４０】
図１３および図１４は本発明による電話機用ハンドセットの第１３の実施形態を示すものである。図１３に示すハンドセット１３０は、その内部に錘部材１３３を移動可能となるように収容している。図１３（ｂ）に示すようにハンドセット１３０内に錘部材収容部１３４を形成し、ここに錘部材１３３（図では２個）を収容する。錘部材１３３からはつまみ１３３ａが突出し、このつまみ１３３ａがハンドセット１３０の長手方向に形成した案内溝１３５と係合している。錘部材１３３の側面には窪み１３３ｂが、また錘部材収容部１３４内部には突起１３６がそれぞれ複数形成され、これらが係合することにより錘部材１３３が固定される（図１３（ｂ）および図１３（ｃ）参照）。
【００４１】
この錘部材１３３を動かすことにより、ハンドセット１３０の重心位置を変更することが可能となるが、次に図１３および図１４を参照してその手順を説明する。図１４に示すように錘部材収容部１３４上部には押さえばね１３７を、一方底部には摩擦部材１３８をそれぞれ取り付け、これらによって錘部材１３３が不用意に移動してしまうことを防いでいる。錘部材１３３の移動に際しては、つまみ１３３ａを持ち上げて錘部材１３３を上昇させ、つまみ１３３ａを案内溝１３５に沿って移動させる（図１４参照）。錘部材１３３を所望の位置まで移動させたらつまみ１３３ａから手を離し、錘部材を静止させる。このとき、錘部材１３３の窪み１３３ｂと錘部材収容部１３４の突起１３６とが係合し、また押さえばね１３７および摩擦部材１３８の作用により、錘部材１３３が固定される。
【００４２】
図１５は本発明による電話機用ハンドセットの第１４の実施形態を示すものである。図１５（ａ）に示すようにハンドセット１４０は、本体１４１に装着するカバー１４２内部に、錘部材１４３を移動可能となるように収容している。錘部材１４３はカバー１４２内部に設けた一対のガイドレール１４４に沿って、本体１４１の受輪側１４１ａと送話側１４１ｂとの間を移動する。
【００４３】
図示のハンドセット１４０もまた錘部材１４３の移動に伴って重心位置が変わるものであるが、ここでは錘部材１４３は使用者がハンドセット１４０を持ったときのハンドセット１４０の姿勢に応じて錘部材１４３が移動し、使用終了後に元の位置に復帰するようにしている。
【００４４】
錘部材１４３の移動と復帰は戻り機構１４５によって規制されている。戻り機構１４５は二つの回転軸１４６，１４７を具え、それぞれの端部に取り付けた歯車１４６ａ，１４７ａが噛み合っている。回転軸１４７にはばね１４８が取り付けられており、また回転軸１４６には糸１４９が巻き付けられ、糸１４９の一端は錘部材１４３と接続している。なお、戻り機構１４５はハンドセット本体１４１の受話側１４１ａの裏側に設けられている。また、糸１４９に代えて紐またはワイヤーを用いることとしても良い。
【００４５】
次に錘部材１４３の移動について説明する。使用者が図示しない電話機本体からハンドセット１４０を取り上げると、通常は本体１４１の受話側１４１ａが送話側１４１ｂよりも高い位置に来るので、重力によって錘部材１４３はハンドセット１４０内を下降する、すなわち受話側１４１ａから送話側１４１ｂへ向かって移動する（図１５（ｂ）参照）。ここで錘部材１４３の移動量はハンドセット１４０の姿勢（角度）によって変わる。錘部材１４３の移動に伴って戻り機構１４５の回転軸１４６から糸１４９が繰り出され、それによって回転軸１４６および回転軸１４７が回転する。このとき、回転軸１４７に取り付けたばね１４８の反発力と錘部材１４３の重量（重力）とが釣り合って錘部材１４３は静止する。
【００４６】
使用者が通話を終了してハンドセット１４０を元の位置（電話機本体）に戻すと、ばね１４８の反発力によって回転軸１４７が錘部材１４３の下降時とは反対方向に回転し、それに伴って回転軸１４６も回転して糸１４９が回転軸１４６に巻き取られる。その結果、錘部材１４３は元の位置へ復帰する。
【００４７】
図１６および図１７は本発明による電話機用ハンドセットの第１５の実施形態を示すものである。図１６に示すようにハンドセット１５０もまた、本体１５１に装着するカバー１５２内部に、錘部材１５３を移動可能となるように収容している。錘部材１５３はカバー１５２内部に設けた一対のガイドレール１５４に沿って、本体１５１の受輪側１５１ａと送話側１５１ｂとの間を移動する。
【００４８】
このハンドセット１５０においては、錘部材１５３の移動を駆動機構１５５を用いて行うものとしている。図１７に示すように駆動機構１５５はモータ（図では２個）１５６と制御回路１５７とを具え、モータ１５６の回転軸に取り付けた歯車１５８が、錘部材１５３表面に形成したラック１５９と噛み合う。また制御部１５７はモータ１５６の動作を制御するものであるが、例えば使用者が駆動機構１５５の動作を制御するためのスイッチ等を設けることとしても良い。
【００４９】
次に錘部材１５３の動作について説明する。使用者の操作等に基づき、駆動機構１５５の制御部１５７はモータ１５６を回転させ、錘部材１５３を初期位置からハンドセット１５０の受話側１５１ａから送話側１５１ｂへ向かう方向へ、あるいはその逆方向へ移動させる。これによりハンドセット１５０の重心位置が変更されることとなる。なお、錘部材１５３の初期位置への復帰は使用者が操作することとしても良く、あるいは制御部１５７によって自動的に行うこととしても良い。
【００５０】
また、制御部１５７には、錘部材１５３の移動を自動的に行うためにハンドセット１５０の姿勢（角度）を検出するセンサを設けることとしても良い。この場合、例えば使用者が図示しない電話機本体からハンドセット１５０を取り上げると、それによって変化したハンドセット１５０の姿勢を検知し、それに応じてモータ１５６を回転させて錘部材１５３を所定の位置まで移動させ、通話が終了して使用者がハンドセット１５０を電話機本体に戻すと、今度はモータ１５６を逆方向に回転させて錘部材１５３を初期位置に復帰させる、という動作が可能となる。
【００５１】
以上説明したように、本発明による電話機用ハンドセットは、その重量や重心位置を使用者の要求等に応じて適宜変更可能とするものであるから、使用者の年齢層や使用環境等に応じてハンドセットの重量や重心位置を調節することができ、それによって使用者の持ち易さを改善したり、長時間の通話による使用者の疲労を低減させることも可能である。
【図面の簡単な説明】
【図１】本発明による電話機用ハンドセットの第１の実施形態を示す斜視図であり、錘部材の取り付け方法をも示すものである。
【図２】本発明による電話機用ハンドセットの第２の実施形態を示す斜視図であり、錘部材の取り付け方法をも示すものである。
【図３】本発明による電話機用ハンドセットの第３の実施形態を示す斜視図であり、錘部材の取り付け方法をも示すものである。
【図４】本発明による電話機用ハンドセットの第４の実施形態を示す斜視図であり、錘部材の取り付け方法をも示すものである。
【図５】本発明による電話機用ハンドセットの第５の実施形態を示すものであり、図５（ａ）はハンドセットの外観および錘部材の取り付け方法を示し、図５（ｂ）はハンドセット内部の錘部材収容容器を示すものである。
【図６】本発明による電話機用ハンドセットの第６の実施形態を示す斜視図であり、ハンドセット本体とカバーとを分離して示すものである。図６（ａ）と図６（ｂ）ではそれぞれ部材の肉厚の異なるカバーを本体に取り付ける場合を示す。
【図７】本発明による電話機用ハンドセットの第７の実施形態を示す斜視図であり、錘部材の取り付け方法をも示すものである。
【図８】本発明による電話機用ハンドセットの第８の実施形態を示す斜視図であり、錘部材の取り付け方法をも示すものである。
【図９】本発明による電話機用ハンドセットの第９の実施形態を示す斜視図であり、錘部材の取り付け方法をも示すものである。
【図１０】本発明による電話機用ハンドセットの第１０の実施形態を示すものであり、図１０（ａ）はハンドセットの外観および錘部材の取り付け方法を示し、図１０（ｂ）はハンドセット内部の錘部材収容容器を示すものである。
【図１１】本発明による電話機用ハンドセットの第１１の実施形態を示す斜視図であり、ハンドセット本体とカバーとを分離して示すものである。
【図１２】本発明による電話機用ハンドセットの第１２の実施形態を示す斜視図であり、ハンドセット本体とカバーとを分離して示すものである。
【図１３】本発明による電話機用ハンドセットの第１３の実施形態を示す図であり、図１３（ａ）はハンドセットの外観を、図１３（ｂ）は錘部材を、図１３（ｃ）は錘部材のハンドセット内部での移動をそれぞれ示すものである。
【図１４】図１３のハンドセットにおける錘部材の移動手順を示す長手方向断面図である。
【図１５】本発明による電話機用ハンドセットの第１４の実施形態を、ハンドセット本体とカバーとを分離して示す斜視図であり、図１５（ａ）は錘部材の移動前の状態を、図１５（ｂ）は移動後の状態をそれぞれ示すものである。
【図１６】本発明による電話機用ハンドセットの第１５の実施形態を、ハンドセット本体とカバーとを分離して示す斜視図である。
【図１７】図１６のハンドセットにおける錘部材の移動機構の構成を示す図である。
【符号の説明】
１０，２０，３０，４０，５０，６０，７０，８０，９０，１００，１１０，１２０，１３０，１４０，１５０　電話機用ハンドセット
１１，２１，３１，４１，５１，６１，７１，８１，９１，１０１，１１１，１２１，１３１，１４１，１５１　ハンドセット本体
１２，２２，３２，４２，５２，６２，６３，７２，８２，９２，１０２，１１２，１２２，１３２，１４２，１５２　カバー
１３，２３，３３，７３，８３　錘部材収容窪み
１４，２４，３４，４３，７４，８４，９３，１３３，１４３，１５３　板状の錘部材
１５，２５，３５，４４，７５，８５，９４　ねじ
２６，３６，７６，８６　蓋
５３，１０３　錘部材注入口
５４，１０４　流動性の錘部材
５５　スポイト
５６，１０５　錘部材注入口蓋
５７，１０６　錘部材収容容器
１３４　錘部材収容部
１３５　案内溝
１３６　突起
１３７　押さえばね
１３８　摩擦部材
１４４，１５４　ガイドレール
１４５，１５５　錘部材移動機構
１４６，１４７　回転軸
１４８　ばね
１４９　糸（紐、ワイヤー）
１５６　モータ
１５７　制御部
１５８　歯車
１５９　ラック
【図１】
2004048409.tif 000003
【図２】
2004048409.tif 000004
【図３】
2004048409.tif 000005
【図４】
2004048409.tif 000006
【図５】
2004048409.tif 000007
【図６】
2004048409.tif 000008
【図７】
2004048409.tif 000009
【図８】
2004048409.tif 000010
【図９】
2004048409.tif 000011
【図１０】
2004048409.tif 000012
【図１１】
2004048409.tif 000013
【図１２】
2004048409.tif 000014
【図１３】
2004048409.tif 000015
【図１４】
2004048409.tif 000016
【図１５】
2004048409.tif 000017
【図１６】
2004048409.tif 000018
【図１７】
2004048409.tif 000019